(57)【要約】【課題】蓋部分の脱落を防止して容易に開口部を開閉することができ、凹凸のない意匠性に優れた紙缶容器を提供する。【解決手段】上端にカーリング部２３Ａが、下端に内方に折り返し部がそれぞれ形成されるとともに、上部に略Ｖ字状の切り裂き目２４ｄが両端貼着部を除いて形成された外筒部２と、外筒部２の内周面に上端縁が略Ｖ字状の切り裂き目２４ｄを越えるようにほぼ全周にわたって貼着された内筒部３と、外筒部２のカーリング部２３Ａに貼着された天面板４と、外筒部２の折り返し部に周縁に形成された折り返し部が挾持されて貼着された底面板と、から紙缶容器１が形成される。そして、外筒部２が切り裂き目２４ｄに沿って切り裂くことにより、天面板４および外筒部２の上部が、外筒部２の両端接着部分をヒンジとして、内筒部３に案内されて上端側開口部を開閉することができる。【選択図】図４
2008254798.tif 000002
【特許請求の範囲】
【請求項１】
上端にカーリング部が、下端に内方に折り返し部がそれぞれ形成されるとともに、上部に略Ｖ字状の切り裂き目が両端接着部を除いて形成された外筒部と、外筒部の内周面に上端縁が略Ｖ字状の切り裂き目を越えるようにほぼ全周にわたって貼着された内筒部と、外筒部のカーリング部に貼着された天面板と、外筒部の折り返し部に周縁に形成された折り返し部が挾持されて貼着された底面板と、から構成され、外筒部が切り裂き目に沿って上方部分および下方部分に切り裂かれることによって、外筒部の両端貼着部分をヒンジとして、天面板を設けた外筒部の上方部分が外筒部の下方部分に対して回動可能であることを特徴とする紙缶容器。
【請求項２】
左右一側端縁に糊代が連設される一方、上端縁にカーリング形成部が、下端縁に折り返し形成部がそれぞれ折り目を介して連設されるとともに、糊代および左右他側端部を除いて上部に略Ｖ字状の切り裂き目が左右方向に形成された外筒部と、糊代を除く外筒部の幅に相当する長さの横寸法と外筒部に形成された切り裂き目の高さよりも大きな高さの縦寸法からなる略方形の内筒部と、円板状の天面板および周縁に折り目を介して折り返し形成部が折り目を介して連設された底面板とからなり、外筒部の内面に、上端縁が切り裂き目を越えるように内筒部を貼着した後、内筒部を貼着した外筒部を円筒状に巻回し、糊代をその他側端部に貼着して上下端部が開口された円筒体を形成し、次いで、底面板の折り返し形成部を折り返して折り返し部を形成するとともに、その折り返し部を外筒部に嵌挿して貼着した後、外筒部の折り返し形成部を内方に折り返して底面板の折り返し部に貼着し、さらに、外筒部のカーリング形成部を丸めてカーリング部を形成し、そのカーリング部に天面板を貼着することを特徴とする紙缶容器の製造方法。
【発明の詳細な説明】
【技術分野】
【０００１】
本発明は、紙缶容器およびその製造方法に関するものである。
【背景技術】
【０００２】
近年、食品や菓子などを収容するため、金属缶に代えて紙製の容器である紙缶容器が使用されるようになっている。
【０００３】
この紙缶容器は、例えば、特許文献１に示されるように、円筒状胴部の上端部に、蓋体を着脱自在に嵌挿して構成されている。
【特許文献１】特開平９−２０３５４号公報
【発明の開示】
【発明が解決しようとする課題】
【０００４】
しかしながら、前述した紙缶容器においては、円筒状胴部と蓋体とを別個に形成し、食品などを収容した後、円筒状胴部に蓋体を嵌挿しなければならず、両者の寸法差によって嵌合できなかったり、あるいは、蓋体が脱落し易いという欠点があった。また、円筒状胴部の外周面に蓋体が板厚分積層されて凹凸が発生し、意匠性が低下するという欠点があった。
【０００５】
本発明は、このような問題点に鑑みてなされたもので、蓋部分の脱落を防止して容易に開口部を開閉することができ、凹凸のない意匠性に優れた紙缶容器およびその製造方法を提供するものである。
【課題を解決するための手段】
【０００６】
本発明の紙缶容器は、上端にカーリング部が、下端に内方に折り返し部がそれぞれ形成されるとともに、上部に略Ｖ字状の切り裂き目が両端接着部を除いて形成された外筒部と、外筒部の内周面に上端縁が略Ｖ字状の切り裂き目を越えるようにほぼ全周にわたって貼着された内筒部と、外筒部のカーリング部に貼着された天面板と、外筒部の折り返し部に周縁に形成された折り返し部が挾持されて貼着された底面板と、から構成され、外筒部が切り裂き目に沿って上方部分および下方部分に切り裂かれることによって、外筒部の両端貼着部分をヒンジとして、天面板を設けた外筒部の上方部分が外筒部の下方部分に対して回動可能であることを特徴とするものである。
【０００７】
本発明によれば、購入時に外筒部に形成された切り裂き目に沿って切り裂いて上方部分と下方部分に分離させることにより、外筒部の両端接着部分をヒンジとして、天面板を設けた外筒部の上方部分を下方部分に対して回動させることにより、上端側開口部を開閉することができる。
【０００８】
この結果、切り裂き目が形成されていない外筒部の両端接着部分がヒンジとなって外筒部の上方部分の脱落を防止することができるとともに、外筒部の内周面に貼着された内筒部が外筒部の上方部分の開閉時の案内として機能することから、容易に回動させて上端側開口部を開閉することができ、また、外筒部の外周面に凹凸が発生せず、広告宣伝を施す際に意匠性に優れたものとなる。
【０００９】
本発明の紙缶容器の製造方法は、左右一側端縁に糊代が連設される一方、上端縁にカーリング形成部が、下端縁に折り返し形成部がそれぞれ折り目を介して連設されるとともに、糊代および左右他側端部を除いて上部に略Ｖ字状の切り裂き目が左右方向に形成された外筒部と、糊代を除く外筒部の幅に相当する長さの横寸法と外筒部に形成された切り裂き目の高さよりも大きな高さの縦寸法からなる略方形の内筒部と、円板状の天面板および周縁に折り目を介して折り返し形成部が折り目を介して連設された底面板とからなり、外筒部の内面に、上端縁が切り裂き目を越えるように内筒部を貼着した後、内筒部を貼着した外筒部を円筒状に巻回し、糊代をその他側端部に貼着して上下端部が開口された円筒体を形成し、次いで、底面板の折り返し形成部を折り返して折り返し部を形成するとともに、その折り返し部を外筒部に嵌挿して貼着した後、外筒部の折り返し形成部を内方に折り返して底面板の折り返し部に貼着し、さらに、外筒部のカーリング形成部を丸めてカーリング部を形成し、そのカーリング部に天面板を貼着することを特徴とするものである。
【００１０】
本発明によれば、外筒部の内面に内筒部を貼着した後、内筒部を貼着した外筒部を円筒状に巻回し、糊代を貼着して円筒体を形成する。次いで、底面板の折り返し形成部を折り返して折り返し部を形成して外筒部に嵌挿し、貼着した後、外筒部の折り返し形成部を内方に折り返して底面板の折り返し部に貼着する。さらに、外筒部のカーリング形成部を丸めてカーリング部を形成し、そのカーリング部に天面板を貼着すればよい。
【００１１】
この結果、外筒部に内筒部を連設し、内筒部、外筒部の順に二回転させて二重の筒体を形成する必要がないため、外筒部の上方部分を脱落を防止しつつ内筒部に沿って容易に回動させることができるとともに、外筒部の外周面に凹凸のない意匠性に優れた紙缶容器を簡単に製造することができる。
【発明の効果】
【００１２】
本発明によれば、蓋部分の脱落を防止して容易に開口部を開閉することができ、凹凸のない意匠性に優れた紙缶容器を得ることができるとともに、その紙缶容器を簡単に製造することができる。
【発明を実施するための最良の形態】
【００１３】
以下、本発明の実施の形態を図面に基づいて説明する。
【００１４】
図１乃至図４には、本発明の紙缶容器１の一実施形態が示されている。
【００１５】
この紙缶容器１は、パスタなどの食品や菓子などを収容するものであり、コートボールを図５に示す展開図にしたがって打ち抜いた後、各構成部品を貼着して組み立てられる。そして、紙缶容器１に食品などを収容して包装した後、出荷される。
【００１６】
この包装容器１は、図５の展開図において、外筒部２、内筒部３、天面板４および底面板５から構成されている。
【００１７】
外筒部２は、外筒本体２１の左端縁に糊代２２が連設される一方、外筒本体２１の上端縁にカーリング形成部２３が折り目２ａを介して連設されるとともに、その下端縁に折り返し形成部２４が折り目２ｂを介して連設され、さらに、外筒本体２１には、その上端部近傍において糊代２２および該糊代２２に貼着される右端縁部にそれぞれ横方向に延びる折り目２ｃ，２ｃが左右対称に形成されるとともに、これらの折り目２ｃ，２ｃの内端縁に連続して、中央に向かって緩やかに直線状に下降するとともに、中央近傍において緩やかに上方に向けて湾曲しつつ合流する一対の切り裂き目２ｄ，２ｄが、全体として略Ｖ字状となるように、左右対称に形成されている。この外筒部２の外筒本体２１は、紙缶容器１の外周長に相当する横寸法と、その高さに相当する縦寸法との方形に形成されている。
【００１８】
なお、外筒部２には、内筒部３の下端縁を位置決めして貼着するためのマーキング２ｘが付されている。
【００１９】
一方、内筒部３は、外筒部２の外筒本体２１の横寸法に略相当する横寸法と、その外筒本体２１に形成された切り裂き目２ｄを覆うことのできる高さの縦寸法を有し、上端縁は、中央を頂点として、左右端縁に向かって緩やかに湾曲して下降する円弧に形成されている。
【００２０】
天面板４は、紙缶容器１の直径に略相当する直径の円板に形成されている。
【００２１】
また、底面板５は、紙缶容器１の直径に略相当する直径の底面本体５１の周縁に折り返し形成部５２が折り目５ａを介して連設された円板に形成されている。
【００２２】
次に、このように構成された紙缶容器１の組み立て手順について説明する。
【００２３】
まず、図５の展開図にしたがってコートボールから外筒部２、内筒部３、天面板４、底面板５を打ち抜く。そして、外筒部２の裏面が上面を向くように反転させた後、外筒部２の切り裂き目２ｄの下方部分に左右方向にわたって接着剤を塗布する一方、内筒部３の下端縁をマーキング２ｘに沿わせるとともに、その右端縁を外筒本体２１と糊代２２との仮想連設線に合わせて貼着する（図６参照）。次いで、内筒部３が貼着された外筒部２の糊代２２の表面に接着剤を塗布した後、貼着された内筒部３とともに外筒部２を円筒状に丸めて外筒部２の裏面側左端縁部に貼着し、上下両端が開口された円筒体Ｃを形成した後、円筒体Ｃの外筒部２における折り返し形成部２４が上方に位置するように、円筒体Ｃを上下反転させて倒立させる（図７参照）。
【００２４】
その後、底面板５の折り返し形成部５２を折り目５ａに沿って立ち上げ、折り返し部５２Ａを形成するとともに、底面板５の折り返し部５２Ａの外周面に接着剤を塗布し、円筒体Ｃにおける外筒部２の内方に嵌挿し、その内周面に貼着する（図８参照）。この際、外筒部２における外筒本体２１と折り返し形成部２４との折り目２ｂに、底面板５の折り返し部５２Ａの上端縁を沿わせて貼着する。次いで、円筒体Ｃにおける外筒部２の折り返し形成部２４の内周面に接着剤を塗布し、折り目２ｂに沿って外筒部２の内方に向けて折り込んで折り返し部２４Ａを形成し、先に貼着した底面板５の折り返し部５２Ａの内周面に貼着する（図９参照）。
【００２５】
底面板５を貼着したならば、円筒体Ｃの外筒部２におけるカーリング形成部２３が上方に位置するように、円筒体Ｃを再び上下反転させて正立させた後、外筒部２のカーリング形成部２３をカーリングし、カーリング部２３Ａを形成する（図１０参照）。そして、底面板５が貼着されて下端側開口部が閉鎖された円筒体Ｃの内部に食品などを充填した後、カーリング部２３Ａの頂部に接着剤を塗布し、天面板４の周縁を貼着すれば、内部に食品などが収容された紙缶容器１が形成される（図１参照）。この後、詳細には図示しないが、紙缶容器１はフィルムで包装されて、出荷される。
【００２６】
一方、店頭にて食品などを購入した消費者はフィルムを剥離した後、外筒部２の、切り裂き目２ｄよりも上方部分を把持して上方に引き上げることにより、外筒部２の上方部分を回動させて、上端側開口部を開放させることができ、上端側開口部を通して食品などを取り出すことができる。
【００２７】
すなわち、外筒部２の上方部分を把持し、上方に持ち上げる方向に回動操作すると、外筒部２に形成された切り裂き目２ｄが切り裂かれて、糊代２２および該糊代２２に貼着された外筒本体２１の側端縁部を除いて上方部分と下方部分とに切り離される。そして、糊代２２および該糊代２２に貼着された外筒本体２１の側端縁部に形成された折り目２ｃ，２ｃをヒンジとして切り離された外筒部２の上方部分が回動し、上端側開口部を開放させることができる。
【００２８】
食品などを取り出して後、上端側開口部を閉鎖する場合は、外筒部２の上方部分を把持して押し下げれば、糊代２２および該糊代２２に貼着された外筒本体２１の側端縁部に形成された折り目２ｃ，２ｃをヒンジとして外筒部２の上方部分が回動し、内筒部３の外周面に沿って滑落し、上端側開口部を閉鎖することができる。
【００２９】
これにより、切り裂き目２ｄが形成されていない部分、すなわち、糊代２２および該糊代２２が貼着された外筒本体２１の側端縁部に形成された折り目２ｃ，２ｃをヒンジとして切り離された外筒部２の上方部分が回動することから、外筒部２の上方部分の脱落を防止することができる。また、外筒部２の内周面に貼着された内筒部３が外筒部２の上方部分の開閉時の案内として機能することから、上端側開口部を容易に開放し、あるいは、閉鎖することができる。この際、外筒部２の上方部分のヒンジとなる糊代２２および該糊代２２が貼着された外筒本体２１の側端縁部に、内筒部３の上端縁の最下方となる左右端縁が位置するため、外筒部２の上方部分が前述したヒンジ回りに回動する際、内筒部３の上端縁と干渉することを防止することができる。また、外筒部２の外周面に凹凸が発生せず、外周面に広告宣伝を施す際に違和感が発生することがなく、意匠性に優れたものとなる。
【００３０】
また、内筒部分に外筒部分を連設して二重の筒体を形成する場合のように、二回転（７２０度）させる必要がなく、容易に製造することができる。
【図面の簡単な説明】
【００３１】
【図１】本発明の紙缶容器の一実施形態を示す斜視図である。
【図２】図１の紙缶容器を模式的に示す縦断面図である。
【図３】図２のａ部およびｂ部をそれぞれ拡大して示す断面図である。
【図４】図１の紙缶容器の上端側開口部を開放した状態を示す斜視図である。
【図５】図１の紙缶容器を構成する外筒部、内筒部、天面板、底面板の展開図である。
【図６】図１の紙缶容器の組立工程を示す説明図である。
【図７】図１の紙缶容器の組立工程を示す説明図である。
【図８】図１の紙缶容器の組立工程を示す説明図である。
【図９】図１の紙缶容器の組立工程を示す説明図である。
【図１０】図１の紙缶容器の組立工程を示す説明図である。
【符号の説明】
【００３２】
１  紙缶容器
２  外筒部
２２  糊代
２３  カーリング形成部
２３Ａ  カーリング部
２４  折り返し形成部
２４Ａ  折り返し部
２ｃ  折り目（ヒンジ）
２ｄ  切り裂き目
３  内筒部
４  天面板
５  底面板
５２  折り返し形成部
５２Ａ  折り返し部
Ｃ  円筒体
【図１】
2008254798.tif 000003
【図２】
2008254798.tif 000004
【図３】
2008254798.tif 000005
【図４】
2008254798.tif 000006
【図５】
2008254798.tif 000007
【図６】
2008254798.tif 000008
【図７】
2008254798.tif 000009
【図８】
2008254798.tif 000010
【図９】
2008254798.tif 000011
【図１０】
2008254798.tif 000012